(57)【要約】【課題】  頂部に、ストロー用開封口とは別個に形成した通気用開口部により、容器内外の空気の流れが得られる空気通路を確保でき、且つ空気通路から容器内の飲料が流出することを防止できる飲料用容器を得る。【解決手段】  ストロー用開封口７とは別個に通気用開口部９を形成し、頂部６の内面には、通気用開口部９を覆うように封止シート１０を設けるとともに、封止シート１０を覆うように通気性がある不透水性シート１１を設け、頂部６の外面には、通気用開口部９を覆うようにプルタブ１２を設け、プルタブ１２と通気用開口部９から露出する封止シート１０とを接着し、プルタブ１２を頂部６の外面から引き剥がすことにより封止シート１０を切除可能とした。【選択図】  図２
2020117294.tif 000002
【特許請求の範囲】
【請求項１】
頂部にストロー用開封口を有する飲料用容器であって、前記頂部に、前記ストロー用開封口とは別個に通気用開口部を形成し、前記頂部の内面には、前記通気用開口部を覆うように封止シートを設けるとともに、前記封止シートを覆うように通気性がある不透水性シートを設け、前記頂部の外面には、前記通気用開口部を覆うようにプルタブを設け、前記プルタブと前記通気用開口部から露出する前記封止シートとを接着し、前記プルタブを前記頂部の外面から引き剥がすことにより前記封止シートを切除可能としたことを特徴とする飲料用容器。
【請求項２】
前記不透水性シートは、メッシュ状シートからなることを特徴とする請求項１に記載の飲料用容器。
【請求項３】
前記メッシュ状シートは、メッシュが、少なくともストローによる吸い込み量に応じた通気量を確保できる開口率と容器を倒したときの漏水を防止する不透水性を確保できる目開きとを満たすものであることを特徴とする請求項２に記載の飲料用容器。
【請求項４】
前記不透水性シートは、パンチング状シートからなることを特徴とする請求項１に記載の飲料用容器。
【請求項５】
前記パンチング状シートは、パンチが、少なくともストローによる吸い込み量に応じた通気量を確保できる開孔率と容器を倒したときの漏水を防止する不透水性を確保できる孔径とを満たすものであることを特徴とする請求項４に記載の飲料用容器。
【請求項６】
前記不透水性シートは、撥水加工したものであることを特徴とする請求項２から５のうちのいずれか１項に記載の飲料用容器。
【発明の詳細な説明】
【技術分野】
【０００１】
本発明は、頂部にストローを挿入する開封口が形成され、ストローで液体食品等（以下、単に飲料という。）を吸飲する飲料用容器に関する。
【背景技術】
【０００２】
ストローで飲料を吸飲する飲料用容器として、頂部にストローを挿入する開封口が形成され、開封口がストローで突き刺し可能な耐水性のある封止シートで封止された飲料用容器が知られている。この飲料用容器は、開封口を封止している封止シートにストローを突き刺して、ストローを開封口から容器内に挿入し、容器内の飲料を吸飲することができる。
【０００３】
ストローを挿入する開封口は、一般に、ストローの外径とほぼ同径の円形に形成されており、このため開封口に挿入したストローと前記開封口との間に殆ど隙間が無く、さらには、ストローの突き刺しにより破断された封止シートが伸びてストローに密着し、ストローと開封口との間をシールする状態になることがある。
【０００４】
このような場合、ストローと開封口との間を通じた容器内外の空気の流れが殆ど無いといえるものであって、例えば、容器を強く握り過ぎたり、或いは容器内が加圧状態となったとき、挿入したストローから飲料が飛び出すことがある。また、飲料を吸飲したとき、容器内が負圧となって凹み、ストローから口を離すと、外部の空気がストローを通じて容器内に入り異音が発生するといった問題があった。
【０００５】
このような問題を解決する飲料用容器として、頂部に、ストローを挿入する開封口とは別個に破封予定部を形成し、該破封予定部にストローまたはその他の尖鋭具の先端を突き刺し、外気導入専用の傷口部を形成可能としたものが提案されている（例えば、特許文献１参照。）。
【０００６】
このように構成された特許文献１に記載の飲料用容器によれば、飲用時に、先ず、破封予定部にストローまたはその他の尖鋭具の先端を突き刺して外気導入専用の傷口部を開口させた状態にしてから、封止シートで封止された開封口に刺し込む。このようにすることにより、開封口に刺し込んだストローにより破断された封止シートがストローの外周面に密着し封止シートとストローの外周面との間に通気性が無くても、頂部に形成されている破封予定部が開口しているので、飲料の吸飲により容器内が負圧となったとき、開口した破封予定部を通して外部から空気が容器内へ入り容器内の負圧を解消し、ストローから口を離しても、外部の空気がストローを通じて容器内に入り異音が発生するといった事態を防止できるとされている。
【先行技術文献】
【特許文献】
【０００７】
【特許文献１】特開平６−４８４４１号公報
【発明の概要】
【発明が解決しようとする課題】
【０００８】
特許文献１に記載の飲料用容器によれば、飲料の吸飲により容器内が負圧となったとき、開口した破封予定部を通して外部から空気が容器内へ入り容器内の負圧を解消し、ストローから口を離しても、外部の空気がストローを通じて容器内に入り異音が発生するといった事態を防止できるが、容器を強く握り過ぎたり、或いは容器内が加圧状態となったとき、また、容器を倒してしまったような場合、開口した破封予定部から容器内の飲料が流出するおそれがあるといった問題があった。
【０００９】
本発明の目的は、頂部に、ストロー用開封口とは別個に形成した通気用開口部により、容器内外の空気の流れが得られる空気通路を確保でき、且つ空気通路から容器内の飲料が流出することを防止できる飲料用容器を提供することにある。
【課題を解決するための手段】
【００１０】
上記の目的を達成するために、請求項１に記載の発明は、頂部にストロー用開封口を有する飲料用容器であって、前記頂部に、前記ストロー用開封口とは別個に通気用開口部を形成し、前記頂部の内面には、前記通気用開口部を覆うように封止シートを設けるとともに、前記封止シートを覆うように通気性がある不透水性シートを設け、前記頂部の外面には、前記通気用開口部を覆うようにプルタブを設け、前記プルタブと前記通気用開口部から露出する前記封止シートとを接着し、前記プルタブを前記頂部の外面から引き剥がすことにより前記封止シートを切除可能としたことを特徴とする。
【００１１】
請求項１に記載の発明によれば、前記頂部に、前記ストロー用開封口とは別個に通気用開口部を形成し、前記頂部の内面には、前記通気用開口部を覆うように封止シートを設けるとともに、前記封止シートを覆うように通気性がある不透水性シートを設け、前記頂部の外面には、前記通気用開口部を覆うようにプルタブを設け、前記プルタブと前記通気用開口部から露出する前記封止シートとを接着し、前記プルタブを前記頂部の外面から引き剥がすことにより前記封止シートを切除可能としたので、前記頂部の外面から前記プルタブを引き剥がすことにより、前記通気用開口部を封止している前記封止シートが切除され、通気性がある前記不透水性シートが露出し、露出した前記不透水性シートに有する通気性により前記通気用開口部に飲料用容器内外の空気の流れが得られる空気通路を確保でき、そして、前記不透水性シートに有する不透水性により飲料用容器内の飲料が通気用開口部から流出すことを防止することができる。
【００１２】
請求項２に記載の発明は、請求項１に記載の、前記不透水性シートは、メッシュ状シートからなることを特徴とする。
【００１３】
請求項２に記載の発明によれば、前記不透水性シートは、メッシュ状シートからなるので、通気性がある前記不透水性シートを容易に得ることができる。
【００１４】
請求項３に記載の発明は、請求項２に記載の、前記メッシュ状シートは、メッシュが、少なくともストローによる吸い込み量に応じた通気量を確保できる開口率と容器を倒したときの漏水を防止する不透水性を確保できる目開きとを満たすものであることを特徴とする。
【００１５】
請求項３に記載の発明によれば、前記メッシュ状シートは、メッシュが、少なくともストローによる吸い込み量に応じた通気量を確保できる開口率と容器を倒したときの漏水を防止する不透水性を確保できる目開きとを満たすものであるので、飲料を吸飲したとき、吸飲量に応じた空気が前記メッシュ状シートの網目を通して外部から容器内に入り、ストローから口を離しても外部の空気がストローを通じて容器内に入り異音が発生するといった事態を防止でき、また、誤って容器を倒してしまったような場合でも容器内からの飲料の流出を防止できる。
【００１６】
請求項４に記載の発明は、請求項１に記載の、前記不透水性シートは、パンチング状シートからなることを特徴とする。
【００１７】
請求項４に記載の発明によれば、前記不透水性シートは、パンチング状シートからなるので、通気性がある前記不透水性シートを容易に得ることができるとともに、前記ストローを突き刺したとき前記不透水性シートが容易に破断し、前記ストローを容易に挿入することができる。
【００１８】
請求項５に記載の発明は、請求項４に記載の、前記パンチング状シートは、パンチが、少なくともストローによる吸い込み量に応じた通気量を確保できる開孔率と容器を倒したときの漏水を防止する不透水性を確保できる孔径とを満たすものであることを特徴とする。
【００１９】
請求項５に記載の発明によれば、前記パンチング状シートは、パンチが、少なくともストローによる吸い込み量に応じた通気量を確保できる開口率と容器を倒したときの漏水を防止する不透水性を確保できる孔径とを満たすものであるので、飲料を吸飲したとき、吸飲量に応じた空気が前記パンチング状シートの孔を通して外部から容器内に入り、ストローから口を離しても外部の空気がストローを通じて容器内に入り異音が発生するといった事態を防止でき、また、誤って容器を倒してしまったような場合でも容器内からの飲料の流出を防止できる。
【００２０】
請求項６に記載の発明は、請求項２から５のうちのいずれか１項に記載の、前記不透水性シートは、撥水加工したものであることを特徴とする。
【００２１】
請求項６に記載の発明によれば、前記不透水性シートは、撥水性の高い材質で製造し、撥水加工したものであるので不透水性が高くなり、その分前記不透水性シートに有する空気通路の開口率を大きくすることができる。これにより空気の流量を大きくすることができるので、飲料を勢いよく吸飲した場合でも吸飲量に応じた空気が外部から容器内へ入り、ストローから口を離しても外部の空気がストローを通じて容器内に入り異音が発生するといった事態を防止できる。
【発明の効果】
【００２２】
以上のように、本発明に係る飲料用容器によれば、頂部に、ストロー用開封口とは別個に形成した通気用開口部により、容器内外の空気の流れが得られる空気通路を確保でき、且つ空気通路から容器内の飲料が流出することを防止できる。
【図面の簡単な説明】
【００２３】
【図１】本発明に係る飲料用容器の実施の形態の一例を示す一部省略斜視図である。
【図２】図１のＡ−Ａ線拡大断面図である。
【図３】図２に示す不透水性シートの概略平面図である。
【図４】通気用開口部からプルタブを引き剥がした状態を示す断面説明図である。
【図５】本発明に係る飲料用容器の実施の形態の第２例で使用される不透水性シートを示す概略平面図である。
【発明を実施するための形態】
【００２４】
以下、本発明に係る飲料用容器の実施の形態を図面を参照して詳細に説明する。
図１乃至図４は本発明に係る飲料用容器の実施の形態の第１例を示すものであり、図１は第１例の飲料用容器を示す一部省略斜視図、図２は図１のＡ−Ａ線拡大断面図、図３は図２に示す不透水性シートの一例を示す概略平面図、図４は通気用開口部からプルタブを引き剥がした状態を示す断面説明図である。
【００２５】
第１例の飲料用容器１は、紙層２の表裏面に熱可塑性樹脂層３，４が積層された基材５により成形されており、頂部６にはストローを挿入するストロー用開封口７が形成されており、ストロー用開封口７はストローで突き刺し可能な耐水性のある封止シート８で封止されている。
封止シート８としては、ガスバリヤー性を有する素材、例えば、ナイロン、ポリエチレン、ポリエステル、エチレンビニルアルコール（ＥＶＯＨ）、ポリビニルアルコール（ＰＶＯＨ）、ポリ塩化ビニリデン（ＰＶＤＣ）等の合成樹脂を使用したシートであることが好ましい。本例ではポリ塩化ビニリデン（ＰＶＤＣ）が使用されている。
【００２６】
頂部６には、ストロー用開封口７とは別個に通気用開口部９が形成されており、頂部６の内面には、通気用開口部９を覆うように封止シート１０が設けられ、通気用開口部９が封止されている。封止シート１０は、後述するプルタブと接着し、プルタブにより切除可能となっている。
封止シート１０としては、ストロー用開封口７を封止している封止シート８と同様、ガスバリヤー性を有する素材、例えば、ナイロン、ポリエチレン、ポリエステル、エチレンビニルアルコール（ＥＶＯＨ）、ポリビニルアルコール（ＰＶＯＨ）、ポリ塩化ビニリデン（ＰＶＤＣ）等の合成樹脂を使用したシートであることが好ましい。本例ではポリ塩化ビニリデン（ＰＶＤＣ）が使用されている。
【００２７】
さらに頂部６の内面には、封止シート１０を覆うように通気性がある不透水性シート１１が封止シート１０と分離可能に設けられている。分離可能に接触する不透水性シート１１と封止シート１０の接触面は、非接着或いは界面剥離可能に接着した状態となっている。
不透水性シート１１にあって、不透水とは、飲料用容器１内の飲料が満たされている状態で、飲料用容器１を倒したとき飲料の漏水が無い状態をいい、滲み出しても漏れなければ不透水という。
【００２８】
第１例では、不透水性シート１１として合成樹脂で製造されたメッシュ状シート１１ａが使用されている。
メッシュ状シート１１ａにおけるメッシュ数、目開き、線径、開口率は、少なくともストロー用開封口７に挿入したストローによる吸い込み量に応じた通気量を確保できる開口率と不透水性を確保できる目開きとを満たすものであることを要する。
【００２９】
メッシュ状シート１１ａの不透水性は、その材質によっても大きく影響を受け、例えばフッ素樹脂のような撥水性の高い材質である場合や撥水加工をしたものである場合は、撥水性の無い或いは低い材質である場合や撥水加工をしていないものである場合に比べ目開きを大きくすることができる。
また、メッシュ状シート１１ａにおける不透水性にあっては、飲料用容器１内に収容されている飲料によっても一様ではなく、飲料の内容によって目開きや開口率も変わる。
従って、メッシュ状シート１１ａにおける目開きや開口率は、メッシュ状シート１１ａの材質、飲料の内容等に応じて設定される。
【００３０】
頂部６の外面には、通気用開口部９を覆うように通気用開口部９の外周縁に接着し且つ通気用開口部９から露出する封止シート１０に接着するプルタブ１２が設けられており、プルタブ１２を頂部６の外面から引き剥がすことにより、封止シート１０を切除することができるようになっている。
プルタブ１２の材質にあっては特に限定されないが、第１例ではアルミシートが使用されている。
【００３１】
このように構成された第１例の飲料用容器１によれば、頂部６に、ストロー用開封口７とは別個に通気用開口部９が形成されており、頂部６の内面には、通気用開口部９を覆うように封止シート１０が設けられ、さらに頂部６の内面には、封止シート１０を覆うように通気性がある不透水性シート１１が封止シート１０と分離可能に設けられており、頂部６の外面には、通気用開口部９を覆うように通気用開口部９の外周縁に接着し且つ通気用開口部９から露出する封止シート１０に接着するプルタブ１２が設けられており、プルタブ１２を頂部６の外面から引き剥がすことにより、封止シート１０を切除することができるようになっているので、頂部６の外面からプルタブ１２を引き剥がすことにより、通気用開口部９を封止している封止シート１０が切除され、通気性がある不透水性シート１１が露出し、露出した不透水性シート１１に有する通気性により通気用開口部９に容器内外の空気の流れが得られる空気通路を確保でき、そして、不透水性シート１１に有する不透水性により飲料用容器１内の飲料が通気用開口部９から流出すことを防止することができる。
【００３２】
第１例では、不透水性シート１１として合成樹脂で製造されたメッシュ状シート１１ａが使用されているので、通気性と不透水性のある不透水性シート１１を容易に得ることができる。
【００３３】
また、メッシュ状シート１１ａが、フッ素樹脂のような撥水性の高い材質である場合や撥水加工をしたものである場合メッシュ状シート１１ａの不透水性が高くなり、その分メッシュ状シート１１ａの目開きを大きくすることができ、メッシュ状シート１１ａに有する空気通路の開口率を大きくすることができる。
これにより空気の流量を大きくすることができるので、飲料を勢いよく吸飲した場合でも吸飲量に応じた空気が外部から飲料用容器１内に入り、ストローから口を離しても外部の空気がストローを通じて飲料用容器１内に入り異音が発生するといった事態を防止できる。
【００３４】
図５は本発明に係る飲料用容器の実施の形態の第２例を示すものであり、図５は第２例の飲料用容器で使用される不透水性シートを示す概略平面図である。
第２例の飲料用容器１について、第１例と同一の構成については同一の符号を付してその説明を省略し、第１例と異なる構成についてのみ説明する。
【００３５】
第２例の飲料用容器１で使用される不透水性シート１１は、合成樹脂で製造されたパンチング状シート１１ｂが使用されている。
パンチング状シート１１ｂにおけるパンチ孔１３の孔径は、通気性が確保でき且つ飲料用容器１内の飲料が満たされている状態で、飲料用容器１を倒したとき飲料の漏水を阻止できる孔径を有するとともに、少なくともストロー１２による吸い込み量に応じた通気量を確保できる開口率を有する厚さとなっている。
【００３６】
パンチング状シート１１ｂの不透水性は、その材質によっても大きく影響を受け、例えばフッ素樹脂のような撥水性の高い材質である場合や撥水加工をしたものである場合は、撥水性の無い或いは低い材質である場合や撥水加工をしていないものである場合に比べパンチ孔１３の孔径を大きくすることができる。
また、パンチング状シート１１ｂにおける不透水性にあっては、飲料用容器１内に収容されている飲料によっても一様ではなく、飲料の内容によってパンチ孔１３の孔径や開口率も変わる。
従って、パンチング状シート１１ｂにおけるパンチ孔１３の孔径や開口率は、パンチング状シート１１ｂの材質、飲料の内容等に応じて設定される。
【００３７】
このように構成された第２例の飲料用容器１によれば、不透水性シート１１として合成樹脂で製造されたパンチング状シート１１ｂが使用されているので、通気性がある不透水性シート１１を容易に得ることができる。
【００３８】
また、パンチング状シート１１ｂが、フッ素樹脂のような撥水性の高い材質である場合や撥水加工をしたものである場合パンチング状シート１１ｂの不透水性が高くなり、その分パンチング状シート１１ｂのパンチ孔１３の孔径を大きくすることができ、パンチング状シート１１ｂに有する空気通路の開口率を大きくすることができる。
これにより空気の流量を大きくすることができるので、飲料を勢いよく吸飲した場合でも吸飲量に応じた空気が外部から飲料用容器１内に入り、ストローから口を離しても外部の空気がストローを通じて飲料用容器１内に入り異音が発生するといった事態を防止できる。
【００３９】
なお、第１例及び第２例に示す飲料用容器１は、いずれも紙製の容器となっているが、紙製以外の容器であってもよいことは勿論である。
【符号の説明】
【００４０】
１  飲料用容器
２  紙層
３，４  熱可塑性樹脂層
５  基材
６  頂部
７  ストロー用開封口
８  封止シート
９  通気用開口部
１０  封止シート
１１  不透水性シート
１１ａ  メッシュ状シート
１１ｂ  パンチング状シート
１２  プルタブ
１３  パンチ孔
【図１】
2020117294.tif 000003
【図２】
2020117294.tif 000004
【図３】
2020117294.tif 000005
【図４】
2020117294.tif 000006
【図５】
2020117294.tif 000007